【手続補正書】
【提出日】平成19年2月21日(2007.2.21)
【手続補正１】
【補正対象書類名】明細書
【補正対象項目名】特許請求の範囲
【補正方法】変更
【補正の内容】
【特許請求の範囲】
【請求項１】
電子メールに画像データを添付して送信する通信装置において、
ユーザによる操作に基づいて、画像の読取条件として設定すべき解像度を選択する選択手段と、
前記画像データを送信するための送信モードとして、第１の送信モードまたは第２の送信モードのいずれかを指定する指定手段と、
前記第１の送信モードが指定された場合には、前記選択手段による前記解像度の選択を許可し、前記第２の送信モードが指定された場合には、前記選択手段による前記解像度の選択を制限する制御手段と、
前記第１の送信モードが指定された場合に、前記選択手段により選択された解像度に基づいて原稿上の画像を読み取り、前記第２の送信モードが指定された場合に、予め定められた解像度に基づいて原稿上の画像を読み取る画像読取手段と、
前記画像読取手段で読み取られた画像データが添付された電子メールを生成する生成手段と、
前記生成手段によって生成された前記電子メールを送信する送信手段と、を有することを特徴とする通信装置。
【請求項２】
前記選択手段は、ユーザによる操作に基づいて、予め設定された複数の解像度の中からいずれかの解像度を選択することを特徴とする請求項１に記載の通信装置。
【請求項３】
前記第１の送信モードとは、インターネットＦＡＸ規格に則った画像データ以外の画像データを電子メールに添付して送信することが可能な電子メール送信モードであって、
前記第２の送信モードとは、インターネットＦＡＸ規格に則った画像データが添付された電子メールを送信するためのインターネットＦＡＸ送信モードであることを特徴とする請求項１または２に記載の通信装置。
【請求項４】
前記指定手段により前記第２の送信モードが指定された場合に、前記画像データにヘッダを付与するヘッダ付与手段を更に有することを特徴とする請求項１乃至３のいずれか１項に記載の通信装置。
【請求項５】
前記ヘッダには、日付、時間または、送信元のアドレスのいずれか１つを含むことを特徴とする請求項４に記載の通信装置。
【請求項６】
前記ヘッダ付与手段は、前記画像データの外側にヘッダを付与する、または、前記画像データの上にヘッダを付与する、のいずれかであることを特徴とする請求項４または５に記載の通信装置。
【請求項７】
前記指定手段により前記第２の送信モードが指定された場合において、更に前記ヘッダ付与手段を用いる場合と用いない場合とを切り替える切替手段を更に有することを特徴とする請求項４乃至６のいずれか１項に記載の通信装置。
【請求項８】
前記指定手段により前記第１の送信モードが指定された場合であって、且つ前記電子メールの宛先として複数の宛先が指定された場合に、前記ヘッダ付与手段は前記ヘッダを付与することなく、前記送信手段は同一の前記画像データが添付された電子メールを前記複数の宛先に対して１回の送信で送信することを特徴とする請求項４乃至７のいずれか１項に記載の通信装置。
【請求項９】
前記指定手段により前記第２の送信モードが指定された場合であって、且つ前記電子メールの宛先として複数の宛先が指定された場合に、前記ヘッダ付与手段は当該複数の宛先についてそれぞれ異なるヘッダの付与を実行し、前記送信手段は前記ヘッダ付与手段により宛先毎に異なるヘッダが付与された画像データが添付された電子メールを前記複数の宛先に対して複数回の送信で送信することを特徴とする請求項４乃至７のいずれか１項に記載の通信装置。
【請求項１０】
電子メールに画像データを添付して送信する通信方法において、
ユーザによる操作に基づいて、画像の読取条件として設定すべき解像度を選択する選択工程と、
前記画像データを送信するための送信モードとして、第１の送信モードまたは第２の送信モードのいずれかを指定する指定工程と、
前記第１の送信モードが指定された場合には、前記選択工程による前記解像度の選択を許可し、前記第２の送信モードが指定された場合には、前記選択工程による前記解像度の選択を制限する制御工程と、
前記第１の送信モードが指定された場合に、前記選択工程により選択された解像度に基づいて原稿上の画像を読み取り、前記第２の送信モードが指定された場合に、予め定められた解像度に基づいて原稿上の画像を読み取る画像読取工程と、
前記画像読取工程で読み取られた画像データが添付された電子メールを生成する生成工程と、
前記生成工程によって生成された前記電子メールを送信する送信工程と、を有することを特徴とする通信方法。
【請求項１１】
前記選択工程は、ユーザによる操作に基づいて、予め設定された複数の解像度の中からいずれかの解像度を選択することを特徴とする請求項１０に記載の通信方法。
【請求項１２】
前記第１の送信モードとは、インターネットＦＡＸ規格に則った画像データ以外の画像データを電子メールに添付して送信することが可能な電子メール送信モードであって、
前記第２の送信モードとは、インターネットＦＡＸ規格に則った画像データが添付された電子メールを送信するためのインターネットＦＡＸ送信モードであることを特徴とする請求項１０または１１に記載の通信方法。
【請求項１３】
前記指定工程により前記第２の送信モードが指定された場合に、前記画像データにヘッダを付与するヘッダ付与工程を更に有することを特徴とする請求項１０乃至１２のいずれか１項に記載の通信方法。
【請求項１４】
前記ヘッダには、日付、時間または、送信元のアドレスのいずれか１つを含むことを特徴とする請求項１３に記載の通信方法。
【請求項１５】
前記ヘッダ付与工程は、前記画像データの外側にヘッダを付与する、または、前記画像データの上にヘッダを付与する、のいずれかであることを特徴とする請求項１３または１４に記載の通信方法。
【請求項１６】
前記指定工程により前記第２の送信モードが指定された場合において、更に前記ヘッダ付与工程を用いる場合と用いない場合とを切り替える切替工程を更に有することを特徴とする請求項１３乃至１５のいずれか１項に記載の通信方法。
【請求項１７】
前記指定工程により前記第１の送信モードが指定された場合であって、且つ前記電子メールの宛先として複数の宛先が指定された場合に、前記ヘッダ付与工程は前記ヘッダを付与することなく、前記送信工程は同一の前記画像データが添付された電子メールを前記複数の宛先に対して１回の送信で送信することを特徴とする請求項１３乃至１６のいずれか１項に記載の通信方法。
【請求項１８】
前記指定工程により前記第２の送信モードが指定された場合であって、且つ前記電子メールの宛先として複数の宛先が指定された場合に、前記ヘッダ付与工程は当該複数の宛先についてそれぞれ異なるヘッダの付与を実行し、前記送信工程は前記ヘッダ付与工程により宛先毎に異なるヘッダが付与された画像データが添付された電子メールを前記複数の宛先に対して複数回の送信で送信することを特徴とする請求項１３乃至１６のいずれか１項に記載の通信方法。
【手続補正２】
【補正対象書類名】明細書
【補正対象項目名】００１３
【補正方法】変更
【補正の内容】
【００１３】
【課題を解決するための手段】
上記目的を達成するために、本発明の一側面としての通信装置は、電子メールに画像データを添付して送信する通信装置において、ユーザによる操作に基づいて、画像の読取条件として設定すべき解像度を選択する選択手段と、前記画像データを送信するための送信モードとして、第１の送信モードまたは第２の送信モードのいずれかを指定する指定手段と、前記第１の送信モードが指定された場合には、前記選択手段による前記解像度の選択を許可し、前記第２の送信モードが指定された場合には、前記選択手段による前記解像度の選択を制限する制御手段と、前記第１の送信モードが指定された場合に、前記選択手段により選択された解像度に基づいて原稿上の画像を読み取り、前記第２の送信モードが指定された場合に、予め定められた解像度に基づいて原稿上の画像を読み取る画像読取手段と、前記画像読取手段で読み取られた画像データが添付された電子メールを生成する生成手段と、前記生成手段によって生成された前記電子メールを送信する送信手段と、を有することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
上記目的を達成するために、本発明の別の側面としての通信方法は、電子メールに画像データを添付して送信する通信方法において、ユーザによる操作に基づいて、画像の読取条件として設定すべき解像度を選択する選択工程と、前記画像データを送信するための送信モードとして、第１の送信モードまたは第２の送信モードのいずれかを指定する指定工程と、前記第１の送信モードが指定された場合には、前記選択工程による前記解像度の選択を許可し、前記第２の送信モードが指定された場合には、前記選択工程による前記解像度の選択を制限する制御工程と、前記第１の送信モードが指定された場合に、前記選択工程により選択された解像度に基づいて原稿上の画像を読み取り、前記第２の送信モードが指定された場合に、予め定められた解像度に基づいて原稿上の画像を読み取る画像読取工程と、前記画像読取工程で読み取られた画像データが添付された電子メールを生成する生成工程と、前記生成工程によって生成された前記電子メールを送信する送信工程と、を有することを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】